(57)【要約】【課題】撮影領域内に被写体が収まった状態で撮影が行なわれる撮影装置、その撮影装置を具備した撮影システムおよびその撮影装置内で実行される撮影方法を提供する。【解決手段】表示画面１１７Ａの周縁部をその周縁部を除く中央部とは異ならせた態様で画像データに基づく画像を表示させることにより、撮影対象物が撮影領域から食み出していることを示すアラーム情報を出力する。撮影者はその表示を見て立ち位置を後方にずらすなり、ズームアウトするなりして撮影領域内に撮影対象物を収めてから撮影を行なうことができる。【選択図】図４
2008136024.tif 000002
【特許請求の範囲】
【請求項１】
被写体光を捉えて画像データを生成する撮影手段と、
表示画面を有し前記撮影手段により生成された画像データに基づく画像を該表示画面上に表示する表示手段と、
予め定められた撮影対象物の一部が撮影領域から食み出しているか否かを検出する食み出し検出手段と、
前記食み出し検出手段により前記撮影対象物が撮影領域から食み出していることが検出された場合にアラーム情報を出力するアラーム手段とを備えたことを特徴とする撮影装置。
【請求項２】
前記アラーム手段は、前記表示手段に、前記表示画面内の周縁部を該周縁部を除く中央部とは異ならせた態様で前記画像データに基づく画像を表示させることにより、アラーム情報を出力するものであることを特徴とする請求項１記載の撮影装置。
【請求項３】
前記食み出し検出手段は、前記撮影対象物の一部が撮影領域から食み出しているか否かを検出する食み出し検出部を有するとともに、該撮影対象物の一部が撮影領域から食み出している場合に、撮影領域を画定する境界線から該撮影対象物が食み出している、該境界線上の食み出し位置を検出する食み出し位置検出部を有するものであって、
前記アラーム手段は、前記表示手段に、前記画像データに基づく画像を、前記表示画面内の周縁部のうちの前記食み出し位置に対応する部分を該部分を除く部分とは異ならせた態様で表示させることにより、アラーム情報を出力するものであることを特徴とする請求項１記載の撮影装置。
【請求項４】
前記食み出し検出手段は、前記撮影対象物の一部が撮影領域から食み出しているか否かを検出するための画素数範囲を記憶しておく画素数範囲記憶部と、撮影領域を画定する境界線上の、前記撮影対象物から食み出している食み出し位置に並ぶ食み出し画素数を計数する食み出し画素数計数部とを有し、該食み出し画素数計数部で計数された食み出し画素数が前記画素数範囲記憶部に記憶された画素数範囲内にあることをもって、前記撮影対象物の一部が撮影領域から食み出している旨、検出するものであることを特徴とする請求項１記載の撮影装置。
【請求項５】
前記食み出し検出手段は、さらに、撮影領域を画定する境界線上の、前記撮影対象物が食み出している食み出し位置を検出する食み出し位置検出部を有し、前記画素数範囲記憶部が、前記境界線上の、食み出し位置に対応づけられた複数の画素数範囲を記憶しておくものであって、
前記食み出し検出手段は、前記食み出し画素数計数部で計数された食み出し画素数が、前記画素数範囲記憶部に記憶された複数の画素数範囲のうちの、前記食み出し位置検出部で検出された食み出し位置に対応づけられた画素数範囲内にあることをもって、前記撮影対象物の一部が撮影領域から食み出している、旨検出するものであることを特徴とする請求項４記載の撮影装置。
【請求項６】
顔を検出する顔検出手段を備え、
前記食み出し検出手段は、前記顔検出手段で検出した顔の一部が撮影領域から食み出しているか否かを検出するものであることを特徴とする請求項１記載の撮影装置。
【請求項７】
肌色領域を検出する肌色検出手段を備え、
前記食み出し検出手段は、前記肌色検出手段で検出した肌色領域の一部が撮影領域から食み出しているか否かを判別するものであることを特徴とする請求項１記載の撮影装置。
【請求項８】
撮影領域内の動きのある被写体を検出する動き検出手段を備え、
前記食み出し検出手段は、前記動き検出手段で検出された動きのある被写体の一部が撮影領域から食み出しているか否かを検出ものであることを特徴とする請求項１記載の撮影装置。
【請求項９】
撮影領域を複数の小領域に分けたときの各小領域ごとの被写体距離を計測する測距手段を備え、
前記食み出し検出手段は、撮影領域を画定する境界線に沿って隣接する小領域間に所定の距離以上の距離差が存在する場合に、前記撮影対象物が撮影領域から食み出している旨、検出するものであることを特徴とする請求項１記載の撮影装置。
【請求項１０】
前記撮影手段が、撮影画角可変な撮影光学系を備え、
前記アラーム手段は、前記食み出し検出手段により前記撮影対象物の一部が撮影領域から食み出している旨、検出された場合に、前記撮影光学系を広角側に操作することを促すアラーム情報を出力するものであることを特徴とする請求項１記載の撮影装置。
【請求項１１】
前記アラーム手段は、前記食み出し検出手段により前記対象物の一部が撮影領域から食み出していることが検出された場合であって、かつ前記撮影光学系が広角端にあるときは、被写体から遠ざかることを促すアラーム情報を出力するものであることを特徴とする請求項１０記載の撮影装置。
【請求項１２】
前記食み出し検出手段が、前記撮影対象物の一部が撮影領域から食み出している場合に該撮影対象物が撮影領域から食み出している方向を検出する食み出し方向検出部を有し、
前記アラーム手段は、前記食み出し検出手段により前記撮影対象物の一部が撮影領域から食み出していることが検出された場合に、撮影方向を該撮影対象物が撮影画角内に入る方向に変更することを促すアラーム情報を出力するものであることを特徴とする請求項１記載の撮影装置。
【請求項１３】
撮影画角可変な撮影光学系を備え、被写体光を捉えて画像データを生成する撮影装置と、
表示画面を有し前記撮影手段により生成された画像データに基づく画像を該表示画面上に表示する表示手段と、
予め定められた撮影対象物の一部が撮影領域から食み出しているか否かを検出する食み出し検出手段と、
前記食み出し検出手段により前記撮影対象物の一部が撮影領域から食み出していることが検出された場合に、前記撮影光学系を広角側に移動させる撮影画角調整手段とを備えたことを特徴とする請求項１記載の撮影装置。
【請求項１４】
前記撮影画角調整手段によって撮影光学系が広角側に移動された場合に、前記撮影手段により生成された画像データから、該撮影光学系が広角側に移動する前の撮影領域内の画像を表わす画像データを生成するトリミング手段を備え、
前記表示手段は、前記表示画面上に、前記トリミング手段によって生成された、前記撮影光学系が広角側に移動する前の撮影領域内の画像を表わす画像データに基づく画像を表示するものであることを特徴とする請求項１３記載の撮影装置。
【請求項１５】
撮影画角可変な撮影光学系を備え、被写体光を捉えて画像データを生成する撮影手段と、
表示画面を有し前記撮影手段により生成された画像データに基づく画像を該表示画面上に表示する表示手段と、
予め定められた撮影対象物の一部が撮影領域から食み出しているか否かを検出する食み出し検出手段と、
前記撮影光学系を移動させて撮影画角を調整する撮影画角調整手段と、
前記検出手段により前記撮影対象物の一部が撮影領域から食み出していることが検出された場合に、前記撮影手段に、該撮影対象物の一部が撮影領域から食み出している状態のまま撮影を行なわせて画像データを生成させるとともに、さらに、前記撮影画角調整手段に前記撮影光学系を広角側に移動させ前記撮影手段に再度撮影を行なわせて画像データを生成させる撮影制御手段とを備えたことを特徴とする撮影装置。
【請求項１６】
被写体を捉えて画像データを生成する撮影手段と、
表示画面を有し前記撮影手段により生成された画像データに基づく画像を該表示画面上に表示する表示手段と、
前記表示手段に、前記表示画面内の周縁部を該周縁部を除く中央部とは異ならせた態様で、前記画像データに基づく画像を表示させる表示制御手段とを備えたことを特徴とする撮影装置。
【請求項１７】
前記表示制御手段は、前記表示手段に、前記中央部よりも前記周辺部のコントラストを強めた画像を表示させるものであることを特徴とする請求項１６記載の撮影装置。
【請求項１８】
前記表示制御手段は、前記表示手段に、前記周縁部に前記画像データに基づいて画像に重ねた、前記中央部を取り囲む半透明の枠体を表示させるものであることを特徴とする請求項１６又は１７記載の撮影装置。
【請求項１９】
被写体光を捉えて画像データを生成する撮影装置、および
表示画面を有し前記撮影手段により生成された画像データに基づく画像を該表示画面上に表示する表示手段と、
予め定められた撮影対象物の一部が撮影領域から食み出しているか否かを検出する食み出し検出手段と、
前記食み出し検出手段により前記撮影対象物の一部が撮影領域から食み出していることが検出された場合にアラーム情報を出力するアラーム手段とを備えた制御装置を具備することを特徴とする撮影システム。
【請求項２０】
被写体光を捉えて画像データを生成する撮影装置、および
表示画面を有し前記撮影手段により生成された画像データに基づく画像を該表示画面上に表示する表示手段と、
予め定められた撮影対象物の一部が撮影領域から食み出しているか否かを検出する食み出し検出手段と、
前記食み出し検出手段により前記撮影対象物の一部が撮影領域から食み出していることが検出された場合に、前記撮影光学系を広角側に移動させる撮影画角調整手段とを備えた制御装置を具備することを特徴とする撮影システム。
【請求項２１】
被写体光を捉えて画像データを生成する撮影装置、および
表示画面を有し前記撮影手段により生成された画像データに基づく画像を該表示画面上に表示する表示手段と、
予め定められた撮影対象物の一部が撮影領域から食み出しているか否かを検出する食み出し検出手段と、
前記撮影光学系を移動させて撮影画角を調整する撮影画角調整手段と、
前記食み出し検出手段により前記撮影対象物の一部が撮影領域から食み出していることが検出された場合に、前記撮影手段に、該対象物の一部が撮影領域から食み出している状態のまま撮影を行なわせて画像データを生成させるとともに、さらに、前記撮影画角調整手段に前記撮影光学系を広角側に移動させ前記撮影手段に再度撮影を行なわせて画像データを生成させる撮影制御手段とを備えた制御装置を具備することを特徴とする撮影システム。
【請求項２２】
被写体光を捉えて画像データを生成する撮影装置、および
表示画面を有し前記撮影手段により生成された画像データに基づく画像を該表示画面上に表示する表示手段と、
前記表示手段に、前記表示画面内の周縁部を該周縁部を除く中央部とは異ならせた態様で前記画像データに基づく画像を表示させる表示制御手段とを備えた制御装置を具備することを特徴とする撮影システム。
【請求項２３】
被写体光を捉えて画像データを生成する撮影装置内で実行される撮影方法であって、
、
予め定められた撮影対象物の一部が撮影領域から食み出しているか否かを検出し、
前記撮影対象物の一部が撮影領域から食み出していることが検出された場合にアラーム情報を出力することを特徴とする撮影方法。
【請求項２４】
撮影画角可変な撮影光学系を備え、被写体を捉えて画像データを生成する撮影装置内で実行される撮影方法であって、
予め定められた撮影対象物の一部が撮影領域から食み出しているか否かを検出し、
前記撮影対象物の一部が撮影領域から食み出していることが検出された場合に前記撮影光学系を広角側に移動させることを特徴とする撮影方法。
【請求項２５】
撮影画角可変な撮影光学系を備え、被写体を捉えて画像データを生成する撮影装置内で実行される撮影方法であって、
予め定められた撮影対象物の一部が撮影領域から食み出しているか否かを検出し、
前記撮影対象物の一部が撮影領域から食み出していることが検出された場合に、前記撮影対象物の一部が撮影領域から食み出している状態のまま撮影を行なって画像データを生成し、さらに
前記撮影光学系を広角側に移動させて再度撮影を行なって画像データを生成することを特徴とする撮影方法。
【請求項２６】
被写体を捉えて画像データを生成して表示画面に画像データに基づく画像を表示させる撮影装置内で実行される撮影方法であって、
前記表示手段に、前記表示画面内の周縁部を該周縁部を除く中央部とは異ならせた態様で、前記画像データに基づく画像を表示することを特徴とする撮影方法。
【発明の詳細な説明】
【技術分野】
【０００１】
本発明は、被写体光を捉えて画像データを生成する撮影装置、その撮影装置を備えた撮影システム、およびその撮影装置内で実行される撮影方法に関する。
【背景技術】
【０００２】
セルフタイマー撮影で集合写真の撮影を行なうときには、撮影者でもある被写体の人達が撮影領域内に入っているかどうかが分からないと撮影に失敗してしまうので、撮影前に撮影領域内に入っているかどうかを被写体側の人達に通知することにより撮影の失敗を防ぐ技術が提案されている（例えば特許文献１参照）。また、撮影領域を撮影装置に伝達するために特定の物品を持っている人が撮影領域内に入ってその特定の部品が撮影装置に認識されたときに撮影が行なわれる技術や、カメラが取り付けられている眼鏡型のフレームをかけている人が自分の撮影したい撮影領域を両手で示すことで撮影装置に撮影領域を認識させる技術等も提案されている（特許文献２、特許文献３参照）。また、台の上に置かれた資料をわざわざ所定の位置に置く操作を行なわなくても撮影装置が資料の位置を自動的に検出して表示画面上に資料を見易く表示する技術なども提案されている（特許文献４参照）。また、撮影装置が備えるファインダ内の表示画面上にピンボケ写真が得られない様にピント位置が表示されるものもある（特許文献５参照）。これらの技術が撮影装置に適用されると、撮影したい被写体の撮影が確実に行なわれる。
【特許文献１】特開２００５−００３８５２号公報
【特許文献２】特開２００２−２７１６７８号公報
【特許文献３】特開２００３−１３４３８４号公報
【特許文献４】特開２０００−１０１８９８号公報
【特許文献５】特開平０５−１０７６２９号公報
【発明の開示】
【発明が解決しようとする課題】
【０００３】
ところで、最近のデジタルカメラにおいては、ボディ背面の表示画面上の画像を見ながら撮影が行なわれるため、時々表示画面の端にまで注意がいかずに撮影対象物の一部が撮影領域から食み出した状態で撮影が行なわれてしまうことがある。
【０００４】
本発明は、上記事情に鑑み、撮影対象物が撮影領域内に収まった状態で撮影が行なわれる撮影装置、その撮影装置を具備した撮影システムおよびその撮影装置内で実行される撮影方法を提供することを目的とする。
【課題を解決するための手段】
【０００５】
上記目的を達成する本発明の第１の撮影装置は、被写体光を捉えて画像データを生成する撮影手段と、
表示画面を有し上記撮影手段により生成された画像データに基づく画像をその表示画面上に表示する表示手段と、
予め定められた撮影対象物の一部が撮影領域から食み出しているか否かを検出する食み出し検出手段と、
上記食み出し検出手段により上記撮影対象物が撮影領域から食み出していることが検出された場合にアラーム情報を出力するアラーム手段とを備えたことを特徴とする。
【０００６】
上記本発明の第１の撮影装置によれば、上記食み出し検出手段によって撮影対象物が撮影領域から食み出していることが検出された場合に、上記アラーム手段からアラーム情報が出力される。この出力されたアラーム情報によって、撮影者は撮影対象物が撮影領域から食み出していることに気付いて撮影領域内に撮影対象物を収められてから撮影を行なう
こととなる。
【０００７】
ここで、上記アラーム手段は、上記表示手段に、上記表示画面内の周縁部をその周縁部を除く中央部とは異ならせた態様で上記画像データに基づく画像を表示させることにより、アラーム情報を出力するものであることが好ましい。
【０００８】
そうすると、表示画面上の画像によって撮影者は撮影対象物が撮影領域から食み出していることを認識することができる。
【０００９】
また、上記食み出し検出手段は、上記撮影対象物の一部が撮影領域から食み出しているか否かを検出する食み出し検出部を有するとともに、その撮影対象物の一部が撮影領域から食み出している場合に、撮影領域を画定する境界線からその撮影対象物が食み出している、その境界線上の食み出し位置を検出する食み出し位置検出部を有するものであって、
上記アラーム手段は、上記表示手段に、上記画像データに基づく画像を、上記表示画面内の周縁部のうちの上記食み出し位置に対応する部分を該部分を除く部分とは異ならせた態様で表示することにより、アラーム情報を出力するものであることが好ましい。
【００１０】
そうすると、撮影対象物の食み出し位置が表示により撮影者に通知されるので、撮影者は食み出し位置を見て撮影対象物を撮影領域内に収めてから撮影を行なうことができる。
【００１１】
また上記食み出し検出手段は、上記撮影対象物が撮影領域から食み出しているか否かを検出するための画素数範囲を記憶しておく画素数範囲記憶部と、撮影領域を画定する境界線上の、上記撮影対象物から食み出している食み出し位置に並ぶ食み出し画素数を計数する食み出し画素数計数部とを有し、その食み出し画素数計数部で計数された食み出し画素数が上記画素数範囲記憶部に記憶された画素数範囲内にあることをもって、上記撮影対象物の一部が撮影領域から食み出している旨、検出するものであることが好ましい。
【００１２】
例えば食み出し画素数が１画素とか２画素程度であれば、撮影が行なわれて画像が得られたときに撮影対象物の一部が撮影領域から食み出していることがさほど目立たない画像が得られる。
【００１３】
これに対し食み出し画素数が３０画素、４０画素と多くなってくると、撮影が行なわれて画像が得られたときに撮影対象物の一部が撮影領域から食み出した、見難い画像が得られてしまう。また食み出し画素数が１００画素、２００画素とさらに多くなってくると、撮影対象物が食み出しているのではなく撮影対象物が部分的に撮影されている場合も出てくる。
【００１４】
そこで、これらのことを踏まえて、撮影領域を画定する境界線上の、上記撮影対象物から食み出している食み出し領域に並ぶ食み出し画素数が食み出し画素数計数部で計数されたときに計数された画素数が上記画素数範囲記憶部に記憶された画素数範囲内にあることをもって、食み出している旨検出する構成にしておくと良い。
【００１５】
ここで、上記食み出し検出手段は、さらに、撮影領域を画定する境界線上の、上記撮影対象物が食み出している食み出し位置を検出する食み出し位置検出部を有し、上記画素数範囲記憶部が、上記境界線上の、食み出し位置に対応づけられた複数の画素数範囲を記憶しておくものであって、
上記食み出し検出手段は、上記食み出し画素数計数部で計数された食み出し画素数が、上記画素数範囲記憶部に記憶された複数の画素数範囲のうちの、上記食み出し位置検出部で検出された食み出し位置に対応づけられた画素数範囲内にあることをもって、上記撮影対象物の一部が撮影領域から食み出している、旨検出するものであることが好ましい。
【００１６】
例えばバストショット撮影においては、撮影領域を画定する境界線上のうちの下方の境界線上に食み出し位置が存在し、背の高い木を背景に撮影を行なった場合には、上記境界線のうちの上方の境界線上に食み出し位置が存在する。
【００１７】
そこで、境界線上の食み出し位置に対応づけられた画素数範囲を予め画素数範囲記憶部に記憶しておいて、食み出し位置検出部で検出された食み出し位置に応じて撮影対象物が食み出しているかどうかを的確に判定することができる構成にしておくと良い。
【００１８】
また、顔を検出する顔検出手段を備え、
上記食み出し検出手段は、上記顔検出手段で検出した顔の一部が撮影領域から食み出しているか否かを検出するものであっても良く、
肌色領域を検出する肌色検出手段を備え、
上記食み出し検出手段は、上記肌色検出手段で検出した肌色領域の一部が撮影領域から食み出しているか否かを検出するものであっても良い。
【００１９】
このように顔や肌色を検出して顔や肌色の領域を撮影対象物としても良い。
【００２０】
また、撮影領域内の動きのある被写体を検出する動き検出手段を備え、
上記食み出し検出手段は、上記動き検出手段で検出された動きのある被写体の一部が撮影領域から食み出しているか否かを検出するものであっても良い。
【００２１】
このように動きのある被写体を撮影対象物としても良い。
【００２２】
また撮影領域を複数の小領域に分けたときの各小領域ごとの被写体距離を計測する測距手段を備え、
上記食み出し検出手段は、撮影領域を画定する境界線に沿って隣接する小領域間に所定の距離以上の距離差が存在する場合に、上記撮影対象物が撮影領域から食み出している旨、検出するものであっても良い。
【００２３】
上記撮影領域を画定する境界線に沿って隣接する小領域ごとに測定された各被写体距離が、ほぼ同じ値であって中央の領域よりも充分遠方にあればすべてが背景であって食み出している領域がないと判定することができる。
【００２４】
これに対して上記撮影領域を画定する境界線に沿って隣接する小領域ごとに測定された各被写体距離に所定の距離差が在り、さらに撮影領域の中央の被写体距離に近い被写体距離がそれらの小領域のいずれかに存在する場合には、撮影対象物が中央から小領域のいずれかに食み出していると判定することができる。
【００２５】
また、上記撮影手段が、撮影画角可変な撮影光学系を備え、
上記アラーム手段は、上記食み出し検出手段により上記撮影対象物の一部が撮影領域から食み出していることが検出された場合に、上記撮影光学系を広角側に操作することを促すアラーム情報を出力するものであることが好ましい。
【００２６】
上記アラーム手段による促しに応じて撮影者が撮影光学系を広角側に操作すると、撮影対象物は撮影領域内に収まる可能性が高い。
【００２７】
ここで、上記アラーム手段は、上記食み出し検出手段により上記対象物の一部が撮影領域から食み出していることが検出された場合であって、かつ上記撮影光学系が広角端にあるときは、被写体から遠ざかることを促すアラーム情報を出力するものであることが好ましい。
【００２８】
上記撮影光学系が広角端にあるときには広角側に操作するアラーム情報を出力しても仕方がないので、その場合には、被写体から遠ざかることを促すアラーム情報を出力して撮影者を被写体から遠ざかる方向へ移動させてズームアウトさせると良い。
【００２９】
また、上記食み出し検出手段が、上記撮影対象物の一部が撮影領域から食み出している場合にその撮影対象物が撮影領域から食み出している方向を検出する食み出し方向検出部を有し、
上記アラーム手段は、上記食み出し検出手段により上記撮影対象物の一部が撮影領域から食み出していることが検出された場合に、撮影方向をその撮影対象物が撮影画角内に入る方向に変更することを促すアラーム情報を出力するものであっても良い。
【００３０】
そうすると、撮影者がアラーム情報に応じて当該撮影装置をパン方向に動かしたりチルト方向に動かしたりすることで撮影対象物を撮影領域内に収めることができる。
【００３１】
また、撮影画角可変な撮影光学系を備え、被写体光を捉えて画像データを生成する撮影手段と、
表示画面を有し上記撮影手段により生成された画像データに基づく画像をその表示画面上に表示する表示手段と、
予め定められた撮影対象物の一部が撮影領域から食み出しているか否かを検出する食み出し検出手段と、
上記食み出し検出手段により上記撮影対象物の一部が撮影領域から食み出していることが検出された場合に上記撮影光学系を広角側に移動させる撮影画角調整手段とを備えた態様であることが好ましい。
【００３２】
そうすると、上記食み出し検出手段によって撮影対象物が撮影領域から食み出していることが検出された場合には、上記撮影画角調整手段が撮影光学系を広角側に移動させることで撮影対象物が撮影領域内に収められる。
【００３３】
さらに、上記撮影画角調整手段によって撮影光学系が広角側に移動された場合に、上記撮影手段により生成された画像データから、その撮影光学系が広角側に移動する前の撮影領域内の画像を表わす画像データを生成するトリミング手段を備え、
上記表示手段は、上記表示画面上に、上記トリミング手段によって生成された、上記撮影光学系が広角側に移動する前の撮影領域内の画像を表わす画像データに基づく画像を表示するものであると良い。
【００３４】
そうすると撮影中の表示画面上の画像は変わらないので撮影者は何も考えずに撮影を行なうことができる。
【００３５】
また、上記課題を達成する本発明の第２の撮影装置は、撮影画角可変な撮影光学系を備え、被写体光を捉えて画像データを生成する撮影手段と、
表示画面を有し前記撮影手段により生成された画像データに基づく画像を該表示画面上に表示する表示手段と、
予め定められた撮影対象物の一部が撮影領域から食み出しているか否かを検出する食み出し検出手段と、
上記撮影光学系を移動させて撮影画角を調整する撮影画角調整手段と、
上記検出手段により上記撮影対象物の一部が撮影領域から食み出していることが検出された場合に、上記撮影手段に、該撮影対象物の一部が撮影領域から食み出している状態のまま撮影を行なわせて画像データを生成させるとともに、さらに、上記撮影画角調整手段に上記撮影光学系を広角側に移動させ上記撮影手段に再度撮影を行なわせて画像データを生成させる撮影制御手段とを備えたことを特徴とする。
【００３６】
上記課題を達成する本発明の第２の撮影装置は、上記食み出し検出手段によって食み出していることが検出された場合には、上記撮影制御手段が、上記撮影手段に、上記撮影対象物の一部が撮影領域から食み出している状態にあるときと上記撮影画角調整手段に撮影光学系を広角側に移動させた状態にあるときとの２回の撮影を行なわせる。
【００３７】
そうすると、撮影対象物が撮影領域から食み出した状態と撮影領域内に収まった状態とで撮影された画像が２パターン得られる。このため、撮影者は、いずれかの画像を自ら選択することができる。
【００３８】
最後に上記食み出し検出手段を設けずに、上記表示画面内の周縁部をその周縁部を除く中央部とは異ならせた態様で上記画像データに基づく画像を表示させ続けて撮影者に注意を促す構成も本発明に含まれるとして以下にその構成を記載しておく。
【００３９】
上記課題を達成する本発明の第３の撮影装置は、被写体を捉えて画像データを生成する撮影手段と、
表示画面を有し上記撮影手段により生成された画像データに基づく画像をその表示画面上に表示する表示手段と、
上記表示手段に、上記表示画面内の周縁部を該周縁部を除く中央部とは異ならせた態様で、上記画像データに基づく画像を表示させる表示制御手段とを備えたことを特徴とする。
【００４０】
ここで、上記表示制御手段は、上記表示手段に、上記中央部よりも上記周辺部のコントラストを強めた画像を表示させるものであることが好ましく、さらに上記周縁部に上記画像データに基づいて画像に重ねた、上記中央部を取り囲む半透明の枠体を表示させるものであることが好ましい。
【００４１】
上記表示画面内の周縁部をその周縁部を除く中央部とは異ならせた態様で上記画像データに基づく画像を表示させ続けることで撮影領域から食み出す可能性があることを撮影前の段階から常に撮影者に通知しても良い。
【００４２】
また、本発明の思想を、上記撮影手段を撮影装置で構成し、上記表示手段、上記食み出し検出手段、上記アラーム手段をパーソナルコンピュータ内に構成して、そのパーソナルコンピュータから撮影手段を構成する撮影装置に無線あるいは有線で撮影の合図を送信して撮影装置に被写体の撮影を行なわせる撮影システムに適用することができる。
【００４３】
その場合における、上記課題を達成する本発明の第１の撮影システムは、
被写体光を捉えて画像データを生成する撮影装置、および
表示画面を有し上記撮影装置により生成された画像データに基づく画像をその表示画面上に表示する表示手段と、
予め定められた撮影対象物の一部が撮影領域から食み出しているか否かを検出する食み出し検出手段と、
上記食み出し検出手段により上記撮影対象物の一部が撮影領域から食み出していることが検出された場合にアラーム情報を出力するアラーム手段とを備えた制御装置を具備することを特徴とする。
【００４４】
また、本発明の思想を、上記撮影手段を撮影装置で構成し、上記表示手段、上記食み出し検出手段、上記画角調整手段をパーソナルコンピュータ内に構成してそのパーソナルコンピュータから撮影手段を構成する撮影装置に無線あるいは有線で撮影の合図を送信して撮影装置に被写体の撮影を行なわせる撮影システムに適用することができる。
【００４５】
その場合における、上記課題を達成する本発明の第２の撮影システムは、
被写体光を捉えて画像データを生成する撮影装置、および
表示画面を有し前記撮影手段により生成された画像データに基づく画像を該表示画面上に表示する表示手段と、
予め定められた撮影対象物の一部が撮影領域から食み出しているか否かを検出する食み出し検出手段と、
上記食み出し検出手段により上記撮影対象物の一部が撮影領域から食み出していることが検出された場合に上記撮影光学系を広角側に移動させる撮影画角調整手段とを備えた制御装置とを具備することを特徴とする。
【００４６】
さらに本発明の思想を、上記撮影手段を撮影装置で構成し、上記表示手段、上記食み出し検出手段、上記撮影制御手段をパーソナルコンピュータ内に構成して、そのパーソナルコンピュータから撮影手段を構成する撮影装置に無線あるいは有線で撮影の合図を送信して撮影装置に被写体の撮影を行なわせる撮影システムに適用することができる。
【００４７】
その場合における、上記課題を達成する本発明の第３の撮影システムは、
被写体光を捉えて画像データを生成する撮影装置、および
表示画面を有し前記撮影手段により生成された画像データに基づく画像を該表示画面上に表示する表示手段と、
予め定められた撮影対象物の一部が撮影領域から食み出しているか否かを検出する食み出し検出手段と、
上記撮影光学系を移動させて撮影画角を調整する撮影画角調整手段と、
上記食み出し検出手段により上記撮影対象物の一部が撮影領域から食み出していることが検出された場合に、上記撮影手段に、その対象物の一部が撮影領域から食み出している状態のまま撮影を行なわせて画像データを生成させるとともに、さらに上記撮影画角調整手段に、上記撮影光学系を広角側に移動させ上記撮影手段に再度撮影を行なわせて画像データを生成させる撮影制御手段とを具備することを特徴とする。
【００４８】
さらに本発明の思想を、上記撮影手段を撮影装置で構成し、上記表示手段、上記表示制御手段をパーソナルコンピュータ内に構成して、そのパーソナルコンピュータから撮影手段を構成する撮影装置に無線あるいは有線で撮影の合図を送信して撮影装置に被写体の撮影を行なわせる撮影システムに適用することができる。
【００４９】
その場合には被写体光を捉えて画像データを生成する撮影装置、および
表示画面を有し上記撮影手段により生成された画像データに基づく画像をその表示画面上に表示する表示手段と、
上記表示手段に、上記表示画面内の周縁部をその周縁部を除く中央部とは異ならせた態様で、上記画像データに基づく画像を表示させる表示制御手段とを備えた制御装置を具備することを特徴とする。
【００５０】
また、上記課題を達成する本発明の第１の撮影方法は、
被写体光を捉えて画像データを生成する上記第１の撮影装置内で実行される撮影方法であって、
予め定められた撮影対象物の一部が撮影領域から食み出しているか否かを検出し、
上記撮影対象物の一部が撮影領域から食み出していることが検出された場合にアラーム情報を出力することを特徴とする。
【００５１】
また、上記課題を達成する本発明の第２の撮影方法は、
撮影画角可変な撮影光学系を備え、被写体を捉えて画像データを生成する上記第１の撮影装置内で実行される撮影方法であって、
予め定められた撮影対象物の一部が撮影領域から食み出しているか否かを検出し、
上記撮影対象物の一部が撮影領域から食み出していることが検出された場合に上記撮影光学系を広角側に移動させることを特徴とする。
【００５２】
また、上記課題を達成する本発明の第３の撮影方法は、
撮影画角可変な撮影光学系を備え、被写体を捉えて画像データを生成する上記第２の撮影装置内で実行される撮影方法であって、
予め定められた撮影対象物の一部が撮影領域から食み出しているか否かを検出し、
上記撮影対象物の一部が撮影領域から食み出していることが検出された場合に、上記撮影対象物の一部が撮影領域から食み出している状態のまま撮影を行なって画像データを生成し、さらに
上記撮影光学系を広角側に移動させて再度撮影を行なって画像データを生成することを特徴とする。
【００５３】
さらに、上記課題を達成する本発明の第４の撮影方法は、
被写体を捉えて画像データを生成して表示画面に画像データに基づく画像を表示させる撮影装置内で実行される撮影方法であって、
上記表示手段に、上記表示画面内の周縁部を該周縁部を除く中央部とは異ならせた態様で、上記画像データに基づく画像を表示することを特徴とする。
【発明の効果】
【００５４】
本発明によれば、撮影領域内に被写体が収まった状態で撮影が行なわれる撮影装置、その撮影装置を具備した撮影システムおよびその撮影装置内で実行される撮影方法が実現する。
【発明を実施するための最良の形態】
【００５５】
以下、図を参照して本発明の実施の形態を説明する。
【００５６】
図１は、本発明の撮影装置の第１実施形態であるデジタルカメラを斜め上前方から見た外観斜視図である。
【００５７】
図１に示すデジタルカメラ１００は、被写体光を捉えて画像データを生成するものであり、このデジタルカメラ１００の前面には、光学ズームレンズを内蔵したズーム鏡胴１１１と、撮影に同期してフラッシュ光を発するフラッシュ発光窓１１２と、暗所など低コントラスト時のオートフォーカス（ＡＦ）精度を向上させるためのＡＦ補助光ランプ１１３等が備えられている。
【００５８】
また、このデジタルカメラ１００の上面には、電源スイッチ１１４と、レリーズボタン１１５と、レリーズボタン１１５の周囲に回転式のモードダイヤル１１６が備えられている。モードダイヤル１１６はそのダイヤルを回すことにより静止画モードと動画モードとを交互に切り換えることができるようになっている。なお、本実施形態のレリーズボタン１１５は、半押しと全押しの２つの操作態様を持つものである。
【００５９】
図２は、図１に示すデジタルカメラの背面を示す外観図である。
【００６０】
図２に示すデジタルカメラ１００の背面には、ＬＣＤ１１７Ａ、ファインダ１２４、ＭＥＮＵ／ＯＫボタン１１８、ＤＩＳＰ／ＢＡＣＫボタン１１９、フォトモードボタン１２０、再生ボタン１２１、十字ボタン１２２、ズームボタン１２３などが備えられている。
【００６１】
ＬＣＤ１１７Ａは、撮影レンズにより被写体光を捉えて生成された画像データからなる画像、および種々の設定時における情報を表示するものである。
【００６２】
ＭＥＮＵ／ＯＫボタン１１８は、撮影時や再生時における各種のメニューをＬＣＤ１１７Ａに表示させたり、表示されたメニューの中から所望のメニューを選択し決定するためのボタンである。
【００６３】
ＤＩＳＰ／ＢＡＣＫボタン１１９は、ＬＣＤ１１７Ａに表示された画面の状態を切り換えたり、ＭＥＮＵ／ＯＫボタン１１８等による操作を１つ前の状態に戻したり操作を取り消したりするためのボタンである。
【００６４】
フォトモードボタン１２０は、ピクセル数，感度，色味，プリント枚数等を設定するためのボタンである。
【００６５】
再生ボタン１２１は、後述する記録媒体１０５９に記録された撮影画像を、ＬＣＤ１１７に再生表示するためのボタンである。
【００６６】
十字ボタン１２２は、様々なモードでその役割が変化し、例えば静止画モードではマクロボタンやフラッシュボタンであったり、再生モードではＬＣＤ１１７Ａに表示したサムネイルの選択ボタンであったりする。マクロボタンは、マクロ撮影を行なうか否かを切り換えるためのボタンであり、一度押下するとマクロ撮影モードとなり、再度押下するとマクロ撮影モードが解除される。フラッシュボタンは、押下する毎に、オートフラッシュ、赤目低減フラッシュ、強制フラッシュ、フラッシュ禁止、スローシャッタでのフラッシュ、およびオートフラッシュというようにフラッシュの状態を順繰りに切り換えるためのボタンである。
【００６７】
ズームボタン１２３は、右方に向けて押下することにより望遠側（テレ側）にズームインするとともに左方に向けて押下することにより広角側（ワイド側）にズームアウトするためのボタンである。
【００６８】
次に、図１、図２に示したデジタルカメラ１００の回路構成について説明する。
【００６９】
図３は、図１、図２に示したデジタルカメラ１００の回路構成を示すブロック図である。
【００７０】
このデジタルカメラ１００の動作は統括的にＣＰＵ１３０によって制御されている。このＣＰＵ１３０には操作パネルＯＰからレリーズ信号を含む様々な操作信号が供給されてくるので、ＣＰＵ１３０は供給されてきた操作信号に応じた処理をＥＥＰＲＯＭ１３０Ａ内のプログラムにしたがって適宜実行する。なお、図３の操作パネルＯＰ内には図２に示すＭＥＮＵ／ＯＫボタン１１８、ＤＩＳＰ／ＢＡＣＫボタン１１９、フォトモードボタン１２０、再生ボタン１２１、十字ボタン１２２、ズームボタン１２３、レリーズボタン１１４等が配備されている。
【００７１】
また、図３の中にはアドレスバス１３０Ｂとデータバス１３０Ｃとの２つのバスが示されている。その２つのバスのうちのアドレスバス１３０Ｂを用いてＣＰＵ１３０からＥＥＰＲＯＭ１３０ＡやＳＤＲＡＭ１３２といったメモリへのアクセスが行なわれたり、各回路１３３〜１３５，１３９〜１４２へのアクセスが行なわれたりする。またその２つ１３０Ｂ，１３０Ｃのバスのうちのデータバス１３０Ｃを経由してＣＰＵ１３０からの指示内容が各回路１３１，１３３〜１３５，１３９〜１４２に通知されたり、逆に各回路１３１，１３３〜１３５,１３９〜１４３から各回路内のプロセスの進行状況などがＣＰＵ１３０に通知されたりする。
【００７２】
さらに、ＡＤＣ１３８とバス側との処理タイミングを合わせるためにメモリ制御回路１３１が配備されていて、このメモリ制御回路１３１によってＡＤＣ１３８から出力されたデジタルの画像データがデータバス１３０Ｃ上に導かれる構成になっている。
【００７３】
この様にＣＰＵ１３０によって統括的に制御されるデジタルカメラ１００の構成および動作を図３を参照して説明する。
【００７４】
図３の左上に示されている撮影光学系１１１０の中には撮影レンズ１１１１や絞り１１１２などが配備されている。なお図３には撮影光学系１１１０内には他にメカニカルシャッタ等の光学部品が配備されていることも示されている。
【００７５】
撮影レンズ１１１１の中にはズームレンズやフォーカスレンズがあり、これらのレンズはレンズ駆動部１３０１によって駆動されて光軸方向に移動し、そのレンズ駆動部１３０１の動作はＣＰＵ１３０によって制御される。また絞り１１１２は、絞り駆動部１３０２によって駆動されこの絞り駆動部１３０２の動作もＣＰＵ１３０によって制御される。さらに撮像素子１３７は撮像素子駆動部１３０３によって駆動されその撮像素子駆動部１３０３はの動作もＣＰＵ１３０によって制御される。この撮像素子駆動部１３０３による駆動に応じて撮像素子１３６で画像データが生成され後段のアナログ信号処理回路１３７へと出力される。
【００７６】
アナログ信号処理回路１３７では、撮像素子１３６から出力された画像データのノイズ低減処理等が行なわれノイズ低減処理が行なわれた画像データが後段のＡＤＣ（Ａｎａｌｏｇｕｅ  Ｄｉｇｉｔａｌ  Ｃｏｎｖｅｒｔｅｒ）１３８へと供給される。そのＡＤＣ１３８ではアナログの画像データがデジタルの画像データに変換される。
【００７７】
このＡＤＣ１３８でアナログの画像データがデジタルの画像データに変換された後、ＣＰＵ１３０の制御の下にメモリ制御回路１３１によって１フレーム分の画像データが次々とデータバス１３０C上に導かれ、データバス１３０C上に導かれた画像データが次々とデジタル信号処理部１３３へと供給される。
【００７８】
ここで、まず電源が投入されたときに撮影光学系が捉えている被写体を表示装置１１７の表示画面１１７Ａ（図２参照）上に表示するための動画データ（以降スルー画データという）の処理の流れを説明する。
【００７９】
ＣＰＵ１３０は、スルー画データを表示装置１１７に所定のタイミングごとに供給してスルー画データに基づくスルー画を表示装置１１７が備える表示画面１１７Ａ上に表示させるにあたっては、撮像素子駆動部１３０３に指示して所定のタイミングごとに撮像素子１３６を繰り返し駆動させてアナログ信号処理回路１３７に画像データを次々と出力させ、さらにＡＤＣ１３８でデジタルの画像データに変換させた後のスルー画データを、メモリ制御回路１３１に指示して次々とデータバス１３０Ｃに導かせている。
【００８０】
このメモリ制御回路１３１によってデータバス１３０Ｃ上に導かれたスルー画データは、データバス１３０Ｃを経由してまずデジタル信号処理回路１３３に供給される。このデジタル信号回路１３３ではスルー画データにシェーディング補正等が施された後ＹＣ変換処理が施される。そのＹＣ変換処理が施されることによりスルー画データからＹＣ信号が生成され生成されたＹＣ信号がＣＰＵ１３０の制御の下にデータバス１３０Ｃを経由して一旦ＳＤＲＡＭ１３２に供給され記憶される。そのＳＤＲＡＭ１３２に１フレーム分のＹＣ信号が蓄えられたら、今度はＣＰＵ１３０によってＳＤＲＡＭ１３２からＹＣ信号が読み出されて表示制御回路１３４に供給され表示装置１１７が備える表示画面１１７Ａ上にＹＣ信号に基づくスルー画が表示される。
【００８１】
一方、デジタル信号処理回路１３３ではＹＣ信号からのＹ信号を使ってコントラスト信号が生成され、ＣＰＵ１３０の制御の下にデータバス１３０Ｃを経由して積算回路１３５にコントラスト信号とＹ信号とが供給される。その積算回路１３５内ではコントラスト信号を用いて合焦位置の検出処理が行なわれたり、Ｙ信号を用いて測光処理が行なわれたりする。この積算回路１３５での積算結果を受けてＣＰＵ１３０は、レンズ駆動部１３０１に指示してフォーカスレンズ１１１１を合焦位置に移動させたり、絞り駆動部１３０２に指示して絞り径を変更させたりしている。このため、いつでも適正露出に調整されたスルー画データに基づくスルー画が表示画面１１７Ａ上に表示されることとなる。
【００８２】
ここで、表示画面１１７Ａ上のスルー画が参照され撮影者によってレリーズボタン１１５が押されると、ＣＰＵ１３０はそのレリーズボタン１１５の押下操作を受けて撮影処理を開始する。
【００８３】
ＣＰＵ１３０は、不図示のメカニカルシャッタを不図示の駆動部に開駆動させるとともに撮像素子駆動部１３０３に指示して電子シャッタを撮像素子１３６に設定させ露光を開始させる。所定のシャッタ秒時後にメカニカルシャッタ、さらに電子シャッタを閉じて画像データを出力させる。撮像素子１３６から出力させた画像データは、アナログ信号処理回路１３７でノイズの低減が行なわれＡＤＣ１３８でデジタルの画像データに変換される。
【００８４】
このＡＤＣ１３８から出力されているデジタルの画像データは、ＣＰＵ１３０の制御の下にメモリ制御回路１３１によってデータバス１３０Ｃ上に導かれデータバス１３０Ｃ上に導かれた画像データが一旦ＳＤＲＡＭ１３２に供給され記憶される。このＳＤＲＡＭ１３２に撮像素子１３６で生成された画像データがすべて供給され記憶された後、今度はＣＰＵ１３０によってＳＤＲＡＭ１３２から画像データが読み出されてデジタル信号処理回路１３３に供給される。このデジタル信号処理回路１３３ではシェーディング補正が行なわれた後ＹＣ信号への変換処理が施される。その変換処理により生成されたＹＣ信号が、ＣＰＵ１３０によってデータバス１３０Cを経由して圧縮伸張回路１３９に供給される。この圧縮伸張回路１３９ではＹＣ信号の圧縮が行なわれる。さらにＣＰＵ１３０によって撮影情報や圧縮に係わる情報、さらにその圧縮に係わる情報に基づいて圧縮されたＹＣ信号とが外部メディア制御回路１４０に供給され、外部メディア制御回路１４０によって、圧縮されたＹＣ信号に圧縮に係わる情報や撮影情報がヘッダとして書き加えられて画像ファイルが生成され生成された画像ファイルが記録媒体１４３に記録される。
【００８５】
なお、このデジタルカメラ１００には手ぶれ検出／動き検出回路１４１が配備されており、フレーム相関に基づいて被写体の動きが検出されたり手ぶれが検出されたりする。また顔検出回路１４２も配備されており、その顔検出回路１４２によって被写体中の人の顔が検出される。
【００８６】
ここで、本実施形態のデジタルカメラ１００が備えるＣＰＵ１３０が行なうアラーム情報の出力処理の概要を説明する。
【００８７】
図４は、本発明にいうアラーム手段の一例を構成するＣＰＵ１３０が、本発明にいう表示手段の一例を構成する表示制御回路１３４と表示装置１１７とに指示してアラーム情報を表示画面１１７Ａ上に出力させたときの表示画面１１７Ａの表示状態を説明する図である。
【００８８】
図４に示す様にＣＰＵ１３０は、表示制御回路１３４に指示して表示画面１１７Ａの周縁部をその周縁部を除く中央部とは異ならせた表示態様てスルー画データに基づくスルー画を表示させることにより撮影領域から撮影対象物の一部が食み出していることを撮影者に通知している。
【００８９】
この様な通知が行なわれると、撮影者は、表示画面１１７Ａ上のコントラストの違いを視認したときに撮影対象物の一部が撮影領域から食み出していることに気付いて立ち位置を変更するなり、ズームスイッチ１２３（図２参照）をワイド側に操作するなりして撮影対象物を撮影領域内に収めてから撮影を行なうことができる。
【００９０】
図５は、ＣＰＵ１３０の制御の下に表示制御回路１３４内部で行なわれる処理の内容を説明する図である。
【００９１】
図５の左側には、表示画面１１７ａ上にアラーム情報に基づく画像の表示を行なわせるにあたって必要な水平同期信号Ｈｓと垂直同期信号Ｖｓの振幅波形が示されている。、
また図５の右側には、表示画面１１７Ａ上のコントラストを調整する処理に関与する表示制御回路１３４内の回路構成が示されている。この表示制御回路１３４の動作は、ＣＰＵ１３０によって制御されている。
【００９２】
図５に示す表示制御回路１３４内には、不図示の水平同期信号発生回路と不図示の垂直同期信号回路とから出力されている水平同期信号Ｈｓと垂直同期信号Ｖｓとに基づいて表示画面の周辺領域の表示タイミングを抽出して出力する同期タイミング生成回路ＴＧ１が配備されている。
【００９３】
また、画像データのコントラストを調整するため、画像データの振幅値の大きさを調整する乗算回路Ｍ１と、その乗算回路Ｍ１に乗数を設定するための２つのレジスタＲｇ１，Ｒｇ２と、２つのレジスタＲｇ１，Ｒｇ２のいずれかの乗数を乗算回路Ｍ１に設定するためのスイッチ回路ＳＷとが備えられている。
【００９４】
図３に示すＣＰＵ１３０が、撮影領域から撮影対象物が食み出していることを検出した場合には、ＣＰＵ１３０は表示制御回路１３４にデータバス１３０Ｃを通してアラームが発生したことを通知して表示制御回路１３４内のスイッチ回路ＳＷを動作状態にして周辺領域においてはコントラスト１を表わす乗数を乗算回路Ｍ１に出力させるとともに中央領域においてはコントラスト２を表わす乗数を乗算回路Ｍ２に出力させることによって、図４に示す様に表示画面１１７Ａ内の周辺部をその周辺部を除く中央部とは異ならせた態様で画像データに基づく画像を表示装置１１７が備える表示画面１１７Ａ上に表示させている。つまり、本発明にいうアラーム手段の一例を構成するＣＰＵ１３０は、表示手段の一例を構成する表示制御回路１３４に指示して、表示装置１１７が備える表示画面１１７Ａ内の周縁部をその周縁部を除く中央部とは異ならせた態様で画像データに基づく画像を表示画面上に表示させることにより、アラーム情報を出力することになる。
【００９５】
そうすると、撮影者は、表示画面１１７Ａを見て、コントラストの違いを視認したときに撮影対象物が撮影領域から食み出していることに気付き撮影対象物を撮影領域内に収めてから撮影を行なう様になる。
【００９６】
図６、図７、図８は本発明の撮影装置の第２実施形態を示す図である。
【００９７】
図６には、図１、図２の外観を持つデジタルカメラ１００Ａの内部構成が示されている。被写体判定回路１３０４が付加されている以外の構成は、図３の構成と同じである。また図７には、図６のＣＰＵ１３０によってアラーム情報を出力する処理が実行されたときの表示画面上の表示状態が示されている。さらに図８には、図６のＣＰＵ１３０によって実行されるアラーム情報出力処理の処理手順がフローチャートの形で示されている。
【００９８】
図６には、第１実施形態ではＣＰＵ１３０が行なっていた画像解析を、被写体判定回路１３０４に行なわせる構成が示されている。この被写体判定回路１３０４に撮影対象物が撮影領域から食み出しているか否かの判定を行なわせる構成にすると、ＣＰＵ１３０の負荷が軽減されるとともに判定処理の高速化が達成される。
【００９９】
例えば被写体判定回路１３０４としては、ローパスフィルタ等によって構成される輪郭抽出回路を使用することが考えられる。この被写体判定回路１３０４で画像解析を行なう構成にすると、合焦動作中であっても撮像素子１３６から取り込んだ画像データを被写体判定回路１３０４に転送して被写体判定回路１３０４に撮影対象物が撮影領域から食み出しているか否かの検出を短時間のうちに行なわせることができる。
【０１００】
なお、被写体判定回路１３０４を、撮影領域を画定する境界線周辺部の画像を複数の小領域に分割した小分割領域ごとに輝度（Ｙ）と色相（Ｃ）の平均を抽出する平均値抽出回路と、その平均値抽出回路で抽出された各小分割領域ごとの平均値を用いて隣接する小分割領域ごとの平均値の差分を各演算する差分演算回路と、その差分演算回路で演算された差分のうちの少なくとも一つが所定の平均値を超えているか否かを判定することにより撮影対象物が撮影領域から食み出していることを判定する判定回路とを備えた回路で構成することも考えられる。
【０１０１】
図７には、図６に示すＣＰＵ１３０が被写体判定回路１３０４での判定に基づいて合焦動作中にアラーム情報を出力する処理を実行したときの表示画面１１７Ａ上の表示状態が示されている。図４と同様に、表示画面１１７Ａの周辺部をその周辺部を除く中央部とは異ならせた態様で撮像素子１３６で生成された画像データに基づく画像を表示させることができるため、第１の実施形態と同様の効果が得られる。
【０１０２】
最後に図８を参照してアラーム情報を出力するＣＰＵ１３０の処理を説明しておく。
【０１０３】
この図８に示すアラーム情報の出力処理が本発明にいう撮影方法の一例に相当する。以降においてもこのＣＰＵ１３０が行う撮影処理の手順を示すフローチャートが撮影方法の例に相当する。
【０１０４】
ＣＰＵ１３０は、電源が投入されたことを受けて図８のフローの処理を開始する。
【０１０５】
まず電源が投入されたことを受けてステップＳ８０１でスルー画を表示画面１１７Ａ上に表示させる。次のステップＳ８０２で積算回路１３５に合焦位置を検出するための積算処理を開始させる。
【０１０６】
ステップＳ８０３で積算回路１３５からの積算結果を受けてレンズ駆動部１３０１にフォーカスレンズを駆動させることによりフォーカスレンズを移動させる。ステップＳ８０３でレンズ駆動部１３０１にフォーカスレンズを移動させながらステップＳ８０４で撮像素子駆動部１３０３に指示して撮像素子１３６に画像データの出力を促す信号を供給させて撮像素子１３６から画像データを出力させメモリ制御回路１３１に指示してバス側に画像信号を取り込ませ、まずデジタル信号処理回路にその画像信号を供給させる。そしてステップＳ８０５でデジタル信号処理回路１３３にコントラスト信号を生成させ積算回路１３５にそのコントラスト信号を供給させて積算回路１３４に合焦情報を生成させる。次のステップＳ８０６へ進んで、撮像素子から出力させた画像データを被写体判定回路１３０４に供給させ被写体判定回路１３０４に画像解析を行なわせる。次のステップＳ８０７でその被写体判定回路１３０４からの検出結果を受けて撮影対象物の一部が撮影領域から食み出しているか否かを検出する。このステップＳ８０７で撮影対象物の一部が撮影領域から食み出していないと判定したらＮｏ側へ進んでステップＳ８０８をスキップしてステップＳ８０９で合焦しているかどうかを判定する。また、ステップＳ８０７で撮影対象物の一部が撮影領域から食み出していると判定したらステップＳ８０８へ進んで表示制御回路１３４に指示して表示画面１１７Ａ上に図７に示す注意表示を行なわせる。
【０１０７】
ステップＳ８０９で上記コントラスト信号に基づいて合焦しているかどうかを判定し、まだ合焦位置にフォーカスレンズが配置されていないと判定したらＮｏ側へ進んでステップＳ８０３に戻ってステップＳ８０３からステップＳ８０９までの処理を繰り返す。
【０１０８】
なお、ステップＳ８０３からステップＳ８０９までの処理を繰り返しているときのステップＳ８０７の処理で被写体判定回路１３０４により撮影対象物の一部が撮影領域から食み出していることが検出されたときにはＹＥＳ側に進んで図７に示す注意表示を表示制御回路１３４に指示して表示制御回路１３４の制御の下に表示装置１１７が備える表示画面上に行なわせる。
【０１０９】
ステップＳ８０９で合焦していると判定したら、ＹＥＳ側へ進んでステップＳ８１０でレリーズボタン１１５（図１、図２参照）が半押しされたままになっているかどうかを判定する。このステップＳ８１０でレリーズボタン１１５が半押しされたままになっていてフォーカスレンズが合焦位置に保持されていると判定したら、直にレリーズ操作が行なわれるとしてＹｅｓ側へ進む。ステップＳ８１０でフォーカスレンズが合焦位置から動かずに合焦状態が解除されずにそのままレリーズ操作が行なわれたらＮｏ側へ進んでステップＳ８１１で撮像素子駆動回路１３０３に撮像素子１３６を駆動させ撮像素子１３６から画像データを出力させ、メモリ制御回路に指示してデータバス１３０Ｃ側に画像データを取り込ませて次のステップＳ８１２でデジタル信号処理回路１３３に信号処理を実行させてこのフローの処理を終了する。
【０１１０】
また、ステップＳ８１０で例えばレリーズボタン１１５から指が外され合焦状態が解除されたと判定したらＹＥＳ側へ進んでステップＳ８０２に戻って通常のスルー画の表示に戻しステップＳ８０２からステップＳ８０９までの処理を繰り返す。
【０１１１】
上記構成にすると合焦動作中にアラーム情報が出力され表示画面１１７Ａ上に注意情報が表示されるので、撮影者は撮影前に撮影対象物が撮影領域から食み出していることに気付いて撮影操作を一旦解除して撮影対象物を撮影領域内に収めてから再度撮影を行なうことができる。
【０１１２】
図９、図１０は、本発明の撮影装置の第３実施形態を説明する図である。
【０１１３】
第３実施形態のデジタルカメラは、図１、図２のデジタルカメラと同じ外観を持ち、図６の内部構成と同様の構成を持つものとする。
【０１１４】
図９には、図２に示す表示画面１１７Ａ上の画像が示されており、図１０には、図６に示すＣＰＵ１３０が行なうアラーム処理の処理手順がフローチャートの形で示されている。図１０のフローチャートの処理は、ステップＳ８０７１が加えられた以外は図８の処理と同じである。
【０１１５】
ステップＳ８０７で、被写体判定回路１３０４に撮影対象物が撮影領域から食み出しているかどうかの判定を行わせ、さらにステップＳ８０７１で被写体判定回路１３０４に検出させた食み出し位置の取得を行なって、ステップＳ８０８で表示制御回路１３４に指示して図９に示す様に食み出し位置に対応する部分のみの注意表示を行なわせている。
【０１１６】
つまり、本発明にいう食み出し検出手段の一例を構成する被写体判定回路１０３４は、撮影対象物の一部が撮影領域から食み出しているか否かを検出する食み出し検出部を有するとともに、その撮影対象物の一部が撮影領域から食み出している場合に、撮影領域を画定する境界線からその撮影対象物が食み出している、その境界線上の食み出し位置を検出する食み出し位置検出部を有することになる。
【０１１７】
また本発明にいうアラーム手段の一例を構成するＣＰＵ１３０は、表示手段の一例を構成する表示制御回路１３４と表示装置１１７に指示して、画像データに基づく画像を、表示装置１１７が備える表示画面１１７Ａ内の周縁部のうちの食み出し位置に対応する部分をその部分を除く部分とは異ならせた態様で表示させることにより、アラーム情報を出力することになる。
【０１１８】
なおローバスフィルタ等で輪郭抽出が行なわれるときには縦横の画素数に応じた、つまり画素の位置ごとに抽出処理が行なわれるので食み出し位置と食み出し画素数とは共に検出可能である。
【０１１９】
上記第３実施形態のデジタルカメラによれば、撮影対象物が撮影領域から食み出している位置が撮影者に分かる様に、食み出している部分の表示形態が他の部分と異なる表示形態になるため、撮影者は、図９の右側の表示を見たときに撮影装置を上方向に向ける操作を行なうことで撮影対象物を撮影領域内に収めることができる。
【０１２０】
ところで、食み出している画素数が数画素であれば撮影領域から食み出しても画像が見難くなるという問題は発生しない。また背景にあるものが部分的に撮影されている場合もあり、その場合には数百画素にわたって撮影対象物が撮影領域から食み出していることもある。
【０１２１】
図１１〜図１２は、本発明の撮影装置の第４実施形態を示す図である。
【０１２２】
第４実施形態のデジタルカメラも、図１、図２のデジタルカメラと同じ外観を持ち、図６の内部構成を持つものとする。
【０１２３】
図１１には、表示画面１１７Ａ上に表示されている撮影画像が示されており、図１２には、ＣＰＵ１３０が行なうアラーム処理の処理手順がフローチャートの形で示されている。図１２のフローチャートの処理は、ステップＳ８０７１の処理画省略されステップＳ８０７２，ステップＳ８０７３の処理が加えられた以外は図１０の処理と同じである。
【０１２４】
この第４実施形態では、撮影対象物に食み出しがあったとしても問題のない撮影においては、撮影対象物が撮影領域から食み出しているという判定を下さない様にするために、予め撮影対象物の一部が撮影領域から食み出しているか否かを検出するための画素数範囲を被写体判定回路１３０４内の内蔵メモリに記憶しておいて、被写体判定回路１３０４で撮影領域を画定する境界線上の食み出し画素数を計数し計数した食み出し画素数がそれらの画素数範囲内にあったときに食み出しているという判定を下す構成を採用している。
【０１２５】
図１２のステップＳ８０７３の処理が画素数範囲内にあるかどうかを判定する処理である。
【０１２６】
この構成にすると、撮影対象物の一部が撮影領域から食み出している領域があると判定されたとしても、例えば図１１の左側に示す様に頭部側の食み出し画素数ｘがｎ１よりも小さく、またｎ２よりも大きいと判定された場合には左側の様にアラームが出力されなくなる。これに対し、図１１に示す頭部側の食み出し画素数ｘが、所定の画素数範囲ｎ１≦ｘ≦ｎ２の間にあると判定されたときには、図１１の右側の様に注意表示が行なわれる。
【０１２７】
またバストショットなどにおいては撮影対象物である人の下半身が撮影領域から食み出しても画像が見難くなるという問題は発生しない。また木が背景に広がっていて撮影領域の上方向、又は左右方向から食み出していたとしても画像が見難くなるという問題は発生しない。
【０１２８】
そこで、撮影領域を画定する境界線上の上下左右それぞれについて異なる画素数範囲をそれぞれ記憶しておいて、画像の、それぞれの領域での食み出し画素数を被写体判定回路１３０４で計数し計数した食み出し画素数と境界線上の上下左右の境界線上の画素数範囲とをそれぞれ比較して撮影対象物の一部が撮影領域から食み出しているかどうかを判定する構成にすることが考えられる。そうするとバストショットが行なわれたときにも、木が背景に広がっている様な被写体の撮影が行なわれたときにも食み出しているかどうかが適応的に判定される。言い換えれば、境界上の４つの領域それぞれの食み出し画素数範囲を異なる値に設定することで撮影対象物の一部が撮影領域から食み出しても良いと判定される撮影領域内の画像の種類が増え、より複雑な輪郭形状を持つ被写体に対しても的確な判定を行なうことができる様になる。
【０１２９】
図１３、図１４は、本発明の撮影装置の第５実施形態を説明する図である。
【０１３０】
第５実施形態のデジタルカメラは、図１、図２のデジタルカメラと同じ外観を持ち、図１３の内部構成を持つものとする。
【０１３１】
図１３には、図１、図２に示す外観を持つデジタルカメラの内部構成がブロック図の形で示されている。この図１３に示すブロック図の構成は、境界線上の４つの境界線に対応する判定基準が４つ設けられている以外は、図６のブロック図と同じ構成である。なお、図１３には、被写体判定回路１３０４´の機能を分かり易くするために４つの判定基準１３０４ａ〜１３０４ｄが被写体判定回路１３０４´に接続されているかの様に示されているが、これらはすべて被写体判定回路１３０４´内にある記憶部である。
【０１３２】
この図１３に示す構成であると、図１４に示す４つの領域ａ，ｂ，ｃ，ｄそれぞれについて、撮影対象物の一部が撮影領域から食み出している食み出し画素数が、それぞれ異なる画素数範囲内にあるかどうかが判定される。
【０１３３】
図１４においては、バストショットであるので、下方の領域ｃにおいては注意が表示されずに、上方の領域ａにおいてのみ注意が表示されている。こうしておくと被写体の状態に応じて注意表示を行なうことができる。
【０１３４】
つまり、本発明にいうところの、食み出し検出手段の一例を構成する被写体判定回路１３０４´が、さらに、撮影領域を画定する境界線上の、撮影対象物が食み出している食み出し位置を検出する食み出し位置検出部を有し、画素数範囲記憶部が、境界線上の、食み出し位置に対応づけられた複数の画素数範囲を記憶しておくものであって、食み出し検出手段は、食み出し画素数計数部で計数された食み出し画素数が、画素数範囲記憶部に記憶された複数の画素数範囲のうちの、食み出し位置検出部で検出された食み出し位置に対応づけられた画素数範囲内にあることをもって、撮影対象物の一部が撮影領域から食み出している旨、検出することになる。
【０１３５】
ところで、いままでは、撮影対象物が物や風景等である場合の説明をしてきたが、撮影対象物が人物である場合には、被写体判定を行なう部分に顔検出回路１４２や肌色検出回路１４２Ａを用いることもできる。
【０１３６】
図１５〜図１７は、本発明の撮影装置の第６実施形態を説明する図である。
【０１３７】
この第６実施形態のデジタルカメラも、図１，図２に示す外観と同じ外観を持ち、図３と同様の図１５に示す内部構成を持つものであるとする。
【０１３８】
図１５には、顔検出回路１４２と輪郭抽出回路１３０５とで被写体検出回路を構成した場合の例が示されており、図１６には、図１５のＣＰＵ１３０によって実行されるアラーム情報の出力処理の手順を示すフローチャートが示されている。さらに図１７には、図１６の処理がＣＰＵ１３０によって実行されたときに表示画面１１７Ａ上に表示される画像が示されている。
【０１３９】
図１５に示す輪郭検出回路１３０５に顔検出回路１４２で検出された顔の輪郭を抽出させることによって、撮影対象物である顔が撮影領域から食み出しているかどうかを検出させている。上記顔検出回路１４２では顔の位置も検出されるので、その位置に基づいて輪郭抽出回路１４２１に抽出させた顔の輪郭が、撮影領域を画定するいずれの境界線から食み出しているかどうかも検出させることになる。
【０１４０】
ここで図１６を参照してＣＰＵ１３０が行なうアラーム情報の出力処理を説明する。
【０１４１】
ＣＰＵ１３０は、電源が投入されたことを受けて図１６のフローの処理を開始する。
【０１４２】
まず電源が投入されたことを受けてステップＳ１６０１でスルー画を表示画面上に表示させる。次のステップＳ１６０２で積算回路１３５に合焦位置を検出するための積算処理を開始させる。
【０１４３】
ステップＳ１６０３で積算回路１３５からの積算結果を受けてレンズ駆動部１３０１にフォーカスレンズを駆動させることによりフォーカスレンズを移動させる。ステップＳ１６０３でレンズ駆動部１３０１にフォーカスレンズを移動させながらステップＳ１６０４で撮像素子駆動部１３０３に指示して撮像素子１３６に画像データの出力を促す信号を供給させて撮像素子１３６から画像データを出力させ、ステップＳ１６０５でデジタル信号処理回路１３３に合焦情報としてコントラスト信号を生成させて積算回路１３５にそのコントラスト信号を供給させる。次のステップＳ１６０６へ進んで、ステップＳ１６０６で積算回路１３５で積算されたコントラスト信号に基づいて合焦しているどうかを判定する。
【０１４４】
このステップＳ１６０６で合焦していないと判定したら、ステップＳ１６０３〜ステップの処理を繰り返し、ステップＳ１６０６で合焦していると判定したらＹＥＳ側に進む。
【０１４５】
次のステップＳ１６０７で顔検出回路１４２に顔を検出させる。次のステップＳ１６０８へ進んで顔検出回路１４２に検出させた顔の位置情報に基づいて輪郭抽出回路１３０５に顔の輪郭を抽出させ抽出させた輪郭が撮影領域から食み出しているかどうかを判定する。ここで食み出していないと判定したらステップＳ１６１０をスキップしてステップＳ１６１１へ進む。
【０１４６】
ステップＳ１６０９で食み出していると判定したらステップＳ１６１０へ進んでステップＳ１６１０で表示制御回路１３４に指示して表示画面１１７Ａ上に図１７の右側に示す注意を表わす画像の表示を行なわせる。
【０１４７】
次のステップＳ１６１１でレリーズボタンが半押しされた状態であってフォーカスレンズが所定の合焦位置に保持されたままになっていると判定したら直にレリーズボタンが全押しされるとしてＮｏ側に進みステップＳ１６１２でレリーズボタンが全押しされたらステップＳ１６１２で撮像素子に画像データを出力させバス側に取り込みステップＳ１６１３でデジタル信号処理回路１３３に画像データを供給して画像データに信号処理を行なわせてこのフローの処理を終了する。
【０１４８】
また、レリーズボタンが半押しから元の位置に戻され合焦状態が解除されたらＹＥＳ側へ進んでステップＳ１６０２からの一連の処理を繰り返す。
【０１４９】
図１７は、ＣＰＵ１３０が図１６のアラーム情報を出力する処理を実行したときの処理内容を説明する図である。
【０１５０】
左側には撮影対象物である顔が撮影領域から食み出していない場合の画像が示されており、右側には撮影対象物である顔が撮影領域から食み出している場合の画像が示されている。
【０１５１】
また、図１７の下側には、顔検出手段１４２で顔と顔の位置が検出されたことを受けて輪郭抽出回路１３０５で顔の輪郭が抽出されたときに顔が撮影領域から食み出すかどうかの判定処理がどの様にして行なわれるかが示されている。
【０１５２】
つまり図１７の下側に示す様に顔の輪郭が抽出されたときにその輪郭を表わす線が撮影領域の周縁部の境界線上によって切り取られてしまうかどうかによって撮影対象物の一部が食み出すかどうかがＣＰＵ１３０によって判定される。
【０１５３】
このように顔検出手段１４２と輪郭抽出手段１３０５とで被写体判定回路を構成しても良い。
【０１５４】
また顔検出手段１４２の代わりに、肌色領域を検出する肌色検出手段１４２´を用いることもできる。
【０１５５】
図１８と図１９は、本発明の撮影装置の第７実施形態を示す図である。
【０１５６】
図１８に示す構成は、顔検出回路１４２の代わりに肌色検出回路１４２´が配備された以外は、図１６の構成と同じである。図１９に示す構成はステップＳ１６０７とステップＳ１６０８の処理がステップＳ１６０７ＡとステップＳ１６０８Ａの処理に変更された以外は、図１７の構成と同じである。
【０１５７】
顔検出回路ではなく肌色検出回路であると、顔の代わりに肌色の部分が撮影領域から食み出しているかどうかが判定される。
【０１５８】
こうして顔検出回路１４２の代わりに肌色検出回路１４２´を配備したとしても第６実施形態と同様の効果が得られる。
【０１５９】
ここで、被写体の中には動きを持つ被写体もある。その動きを持つ被写体を撮影対象物にすることもできる。
【０１６０】
図２０、図２１、図２２は、本発明の撮影装置の第８実施形態を示す図である。
【０１６１】
図２０には図３と同様のブロック図が示されている。また、図２１にはステップＳ８１３からステップＳ８１７の並列処理が付け加えられ、ステップＳ８０６からステップＳ８０８までの処理が省略されている以外は、図８と同様のフローチャートが示されている。また図２２には、動きのある被写体を撮影しているときの表示画面上の表示画像が示されている。図２２の右側には、アラーム情報が出力されない場合の画像例が示されており、図２２の左側にはアラーム情報が出力された場合の画像例が示されている。
【０１６２】
電源が投入されたときに図２０に示すＣＰＵ１３０はこのフローの処理を開始し、最初は図２０の左側のフローのみの処理を実行する。２フレームから左側のステップＳ８１３〜ステップＳ８１７までの処理を並行して実行する。
【０１６３】
図２１の左側のフローの処理は図８とほぼ同じであるので説明を省略して図２１の右側に示す処理を説明する。
【０１６４】
２フレーム目から左側の合焦処理に並行して動き検出処理を実行する。
【０１６５】
ステップＳ８１３で今回のフレームの画像データから前回のフレームの画像データを減算して差分信号を生成する。次のステップＳ８１４で手ぶれ検出／動き検出回路１４１に動きのある被写体の動き検出を行なわせて次のステップＳ８１５で手ぶれ検出／動き検出回路から動き位置情報を抽出する。次のステップＳ８１６で前のステップＳ８１５で抽出した動き位置情報と境界線の位置情報とを比較して撮影対象物が撮影領域から食み出しているかどうかを判定する。
【０１６６】
このステップＳ８１６で撮影対象物の一部が撮影領域から食み出していないと判定したらステップＳ８０９へ進んでステップＳ８０９で合焦しているかどうかを判定する。合焦していないと判定したらステップＳ８０３に戻ってステップＳ８０３からの処理を繰り返し、合焦していると判定したらＹＥＳ側へ進んでステップＳ８１０以降の処理を実行する。
【０１６７】
また、ステップＳ８１６で撮影対象物の一部が撮影領域から食み出していると判定したら、次のステップＳ８１７で表示制御回路１３４に指示して表示画面１１７Ａ上に図２２の左側に示す注意表示を行なわせてステップＳ８０９へ進んでステップＳ８０９で合焦していないと判定したらステップＳ８０３に戻ってステップＳ８０３からの処理を繰り返す。ステップＳ８０９で合焦していると判定したらステップＳ８１０へ進んでステップ８１０以降の処理を実行する。
【０１６８】
ＣＰＵ１３０が図２１の処理を実行すると、図２２の右側に示す画像の場合は何もせずに処理を終了し、図２２の左側に示す画像の場合には表示制御回路１３４に指示して表示画面１１７Ａ上の周辺部をその周辺部を除く中央とは異なる表示態様で表示させることにより撮影者に対してアラーム情報を出力して処理を終了する。
【０１６９】
つまり、本発明にいう食み出し検出手段の一例を構成するＣＰＵ１３０が、手ぶれ検出／動き検出手段１４１の動き検出の検出結果を受けて動きのある被写体の一部が撮影領域から食み出しているか否かを検出することになる。
【０１７０】
図２３〜図２５は、本発明の撮影装置の第９実施形態を説明する図である。
【０１７１】
図２３には、図１、図２の外観を持つデジタルカメラの内部構成が示されている。この図２３の構成は、周辺合焦位置収集回路１３５１が付加されている以外は、図３の構成と同じである。
【０１７２】
その周辺合焦位置収集回路１３５１によって、積算回路１３４で積算されたコントラスト情報に基づいて撮影領域を複数の小領域に分けたときの、撮影領域を画定する境界線に沿って隣接する小領域間に所定の距離以上の距離差が存在するかどうかが判定される。
【０１７３】
また、図２４には、ＣＰＵ１３０が実行するアラーム処理の手順を示すフローチャートが示されている。ステップＳ８０５１とステップＳ８０５２とステップＳ８０９１とステップＳ８０９２の処理が追加され、ステップＳ８０６〜Ｓ８０８の処理が省略された以外は、図８と同じ構成である。
【０１７４】
また、図２５には、ＣＰＵ１３０が図２４のステップＳ８０９２の処理によりアラーム情報の出力処理を実行したときの表示画面の表示例が示されている。この図２５の下方には撮影領域を画定する境界上の上下左右に配列されている小領域ごとに測定された距離の変化状態が境界線に沿った線で示されている。
【０１７５】
図２５中の（ａ）〜（ｄ）の各線が波打っているということは周辺の境界線それぞれの小領域間に距離差が生じていることになる。図２５の左側の図からも明らかであるが、この例では上下左右すべての境界線から撮影対象物が食み出している。
【０１７６】
つまり、本発明にいうところの、撮影領域を複数の小領域に分けたときの各小領域ごとの被写体距離を計測する測距手段の一例を構成する積算回路１３５と周辺情報収集回路１３５１とを備え、食み出し検出手段の一例を構成するＣＰＵ１３０が、撮影領域を画定する境界線に沿って隣接する小領域間に所定の距離差が存在する場合に、上記撮影対象物が撮影領域から食み出している旨、検出するものであるということになる。
【０１７７】
ところで、いままではアラーム情報を出力して撮影者に注意を促すだけであったが、表示画面を使って注意を促すとともに撮影者に対して問題を解決するための解決案を提案することもできる。  
【０１７８】
図２６〜図２７は本発明の撮影装置の第１０実施形態を説明する図である。
【０１７９】
第１１実施形態のデジタルカメラも、図１、図２に示す第１実施形態のデジタルカメラと同様の外観を持ち、図３に示す内部構成と同様の構成を持つものとする。
【０１８０】
図２６には、ＣＰＵ１３０が行なうアラーム情報の出力処理の手順を示すフローチャートが示されている。図２６の処理は、ステップＳ１６１０の処理を省略してステップＳ１６０９１〜ステップＳ１６０９４の処理を追加した以外は、図１６の処理とほぼ同じ処理である。
【０１８１】
ステップＳ１６０９１で撮影光学系のレンズ情報を取得して、ステップＳ１６０９２で焦点距離が可変な撮影光学系が広角端にあるかどうかを判定し広角端にあると判定したら、ＹＥＳ側へ進んでステップＳ１６０９３で被写体から遠ざかることを促すアラーム情報を提案として表示画面上に表示させ、ステップＳ１６０９２で広角端にはないと判定したらＮｏ側へ進んでステップＳ１６０９４でズームボタン１２３の操作を促すアラーム情報を提案として表示画面上に表示させている。
【０１８２】
そうすると、撮影者に操作ガイダンスが表示されることになるので、撮影者はそのガイダンスと自分の撮影技量に応じた操作を適応的に行なうことができる。すなわち、使い勝手の良い撮影装置が撮影者に対して提供される。
【０１８３】
図２７には、ＣＰＵ１３０が図２６の処理の中のステップＳ１６０９３又はステップＳ１６０９４処理のいずれかを実行して表示制御手段１３４に指示して表示画面１１７Ａ上に画像を表示させた場合の表示例が示されている。
【０１８４】
図２７の左側には、ステップＳ１６０９３の処理が実行されたときの表示画面が示されており、表示画面の左上に‘ＭＯＶＥ  ＢＡＣＫ’つまり‘後退してください’という操作ガイダンスを表わす画像が表示されている。また図２７の右側にはステップＳ１６０９４の処理が実行されたときの表示画面が示されており、表示画面の左上に‘ＺｏｏｍＯｕｔ’つまり‘ズームスイッチを操作してズームアウトを行なってください’という操作ガイダンスを表わす画像が表示されている。
【０１８５】
これらの表示にしたがって撮影者が後退したり、ズームボタン１２３を操作したしすることで、撮影対象物が撮影領域内に収められる。
【０１８６】
この様な操作ガイダンスが表示画面上に表示される構成であると使い勝手が向上するという効果が得られる。
【０１８７】
また、デジタルカメラから撮影者に対して操作ガイダンスを表示する構成にするのであれば、ズームアウトやズームインだけではなく、撮影装置をいろいろな方向に操作することを促す場合も出てくる。
【０１８８】
図２８〜図２９は、本発明の撮影装置の第１１実施形態を説明する図である。
【０１８９】
第１１実施形態のデジタルカメラも、図１、図２に示す第１実施形態のデジタルカメラと同様の外観を持ち、図３に示す内部構成と同様の構成を持つものとする。
【０１９０】
図２８には、ＣＰＵ１３０が表示制御回路１３４に指示して、アラーム情報として撮影者に対して操作ガイダンスを表わす画像を表示画面上に表示させるときの処理の手順がフローチャートの形で示されている。また図２９には、図２８の処理が実行されたときの表示画面上の画像表示例が示されている。
【０１９１】
図２６のステップＳ１６０９１からステップＳ１６０９４までの処理がステップＳ１６０９１ＡからステップＳ１６０９５Ａの処理に置き換えられている以外は、図２６の処理と同じ処理である。ここでは置き換えられた部分の処理を説明する。
【０１９２】
ステップＳ１６０９１Ａで食み出している位置情報を抽出してステップＳ１６０９２Ａで境界線上の一辺又は隣接する２辺に食み出し位置が存在するかを判定して、ステップＳ１６０９２Ａで境界のいずれか一辺又は隣接する辺に食み出し位置が存在すると判定した場合には、ステップＳ１６０９４Ａで食み出し位置が上下左右のいずれ位置にあるかに応じて移動方向を提案表示する。
【０１９３】
また、ステップＳ１６０９２Ａで上下左右のいずれか一辺又は隣接する辺にではないと判定した場合にはステップＳ１６０９３Ａへ進んでステップＳ１６０９３Ａで上下、又は左右の２箇所に亘って食み出しているかどうかを判定する。ここで上下又は左右の２箇所それぞれで食み出していると判定したらＹＥＳ側へ進んでステップＳ１６０９５Ａでカメラを９０度回転させる提案表示を行なう。また、ステップＳ１６０９３Ａで上下又は左右の２箇所それぞれではみ出していないと判定したら、何もせずに次のステップＳ１６１１へ進む。
【０１９４】
つまり、食み出し検出手段の一例を構成するＣＰＵ１３０が、撮影対象物の一部が撮影領域から食み出している場合にその撮影対象物が撮影領域から食み出している方向を検出する食み出し方向検出部を有し、アラーム手段の一例も構成するＣＰＵ１３０が、食み出し機能を用いて撮影対象物の一部が撮影領域から食み出していることを検出した場合に、撮影方向をその撮影対象物が撮影画角内に入る方向に変更することを促すアラーム情報を出力することになる。
【０１９５】
図２９には、図２８の処理がＣＰＵ１３０によって実行されたときの表示画面１１７Ａの表示内容が示されている。中央には撮影領域内に撮影対象物がフレーミングされているときの状態が示されており、その回りには上下左右いずれか一つの方向に撮影対象物が食み出している状態が示されている。そのＬＣＤ１１７Ａ上には矢印で操作方向が示されている。例えば中央の上方の状態のときにはデジタルカメラを下方向へ移動させる操作を撮影者に提案していることになる。
【０１９６】
つまり、この例では、ＣＰＵ１３０が表示制御回路１３４に指示して積算回路１３５で検出された合焦情報にしたがって撮影装置をどちらの方向に移動させると撮影対象物が撮影領域内に収まるかを、操作ガイダンスとして矢印で表示させている。こうした操作ガイダンスが表示されると撮影装置の使い勝手が一層向上する。
【０１９７】
ところで、撮影光学系が焦点距離が可変な撮影光学系であった場合には、撮影対象物の一部が撮影領域から食み出したときにその撮影光学系を広角側に自動的に移動させることで食み出した領域の画像を撮影領域内に収めることができる。撮影者が撮影に夢中になって撮影しているときには食み出しているかどうかを表示画面上で一々確認するようなことをしている暇がないこともある。そのようなときには、表示画面はそのままにしておいて、撮影者に意識させずに食み出しのない画像を得て置くことも出来る。
【０１９８】
図３０、図３１は、第１２実施形態を説明する図である。
【０１９９】
第１２実施形態のデジタルカメラも、図１、図２に示す第１実施形態のデジタルカメラと同様の外観を持ち、図３に示す内部構成と同様の構成を持つものとする。
【０２００】
図３０には、ＣＰＵ１３０が実行するアラーム情報の出力処理の手順を示すフローチャートが示されている。また図３１には、図３０の処理が実行された場合の表示画像が示されている。
【０２０１】
図３０の処理は、ステップＳ８０８の処理が省略されステップＳ８０８１とステップＳ８０８２の処理が追加された以外は図８の処理と同じである。
【０２０２】
ステップＳ８０７で撮影対象物が撮影領域から食み出していると判定したときにＹＥＳ側へ進んでステップＳ８０８１で撮影光学系を広角側に移動させてズーム倍率を下げステップＳ８０８２でズーム倍率を下げる前の撮影領域内の画像を表示するためにトリミング処理つまり電子ズーム処理を行なっている。つまり、この例では、撮影画角調整手段の一例を構成するＣＰＵ１３０とレンズ駆動手段１３０１によって撮影光学系１１１０が広角側に移動された場合に、デジタル信号処理回路１３３内のトリミング回路によって、撮影手段の一例を構成する撮像素子１３６により生成された画像データから、その撮影光学系が広角側に移動する前の撮影領域内の画像を表わす画像データが生成され表示画面上に表示される。
【０２０３】
そうすると、図３１の左側の様に表示されている画像はそのままでズームアウトがデジタルカメラ内部でズームアウト処理が行なわれて撮影領域内に収められた画像が得られる。
【０２０４】
しかし撮影者の中には、撮影対象物である人物の手や足が食み出していても人物の表情がズームインされた状態のままで撮影されていた方が良いと思う人もいる。
【０２０５】
図３２、図３３は、第１３実施形態を説明する図である。
【０２０６】
第１３実施形態のデジタルカメラも、図１、図２に示す第１実施形態のデジタルカメラと同様の外観を持ち、図３に示す内部構成と同様の構成を持つものとする。
【０２０７】
図３２の処理は、ステップＳ１６０８〜Ｓ１６１０までの処理が省略されステップＳ１６１４以降の処理が追加されてる以外は、図１６の処理と同じである。
【０２０８】
撮影領域から食み出しているかどうかの判定を撮影中には行なわずに撮影後に行なう構成に変更している。ステップＳ１６１２で一回目の撮影を行なっておいて、ステップＳ１６１４の処理で撮影対象物の一部が撮影領域から食み出していることが検出された場合には、ステップＳ１６１５でレンズ駆動回路１３０１に指示して撮影光学系を広角側に移動させ撮像素子駆動手段１３０３に指示して２回目の撮影を行なわせて画像データを生成させている。
【０２０９】
図３３には、２回の撮影により得られた画像が示されている。
【０２１０】
図３３の左側には、撮影対象物が撮影領域から食み出した状態のまま撮影された画像が示されており、図３３の右側には撮影光学系が広角側に調整され撮影対象物が撮影領域に収められた画像が示されている。
【０２１１】
この様に撮影を２回行なっておくと、撮影者は、撮影したかった撮影領域の画像であるかどうかを後から判定していずれかの画像を選択することができる。
【０２１２】
図３４、図３５は、第１４実施形態を説明する図である。
【０２１３】
第１４実施形態のデジタルカメラも、図１、図２に示す第１実施形態のデジタルカメラと同様の外観を持ち、図３に示す内部構成と同様の構成を持つものとする。
【０２１４】
ただし、撮像素子１３６の中にはＣＰＵ１３０からの信号に応じて撮像サイズの変更を行なうことができるものがあるので、第１４実施形態ではその撮像素子が用いられているとする。
【０２１５】
図３４には、撮像サイズの変更を行なう場合と行なわない場合とが示されていて図３４の上側には、撮影時の撮像サイズが示されており、図３４の左下側には、撮像サイズを変更した場合の撮影画像が示されている。また、図３５には、ＣＰＵ１３０によって実行される撮影処理の手順がフローチャートの形で示されている。図１６のステップＳ１６０７の処理がステップＳ１６０７Ｂに変更されステップＳ１６０８〜１６１１までの処理がステップＳ１６１１Ｂ〜ステップＳ１６１２Ａ、またはステップ１６１２Ｂまでの処理に変更された以外は、図１６の処理と同じである。
【０２１６】
図３５に示す様にＣＰＵ１３０は、ステップＳ１６１１１Ｂで撮影対象物が撮影領域から食み出したと判定したときにステップＳ１６１２Ｂで撮像素子に指示して撮影サイズを変更して大きめの撮像サイズにしてから撮影を行なって画像データを出力させている。
【０２１７】
この様にＣＰＵ１３０が撮像素子に指示して撮像サイズの変更処理を行なってもいままでの例と同じ効果が得られる。
【０２１８】
図３６は本発明の撮影システムの実施形態を説明する図である。
【０２１９】
図３６には、本発明にいう制御装置にパーソナルコンピュータ（以降ＰＣという）２０を適用してそのＰＣ２０とカメラユニット２１とを例えばＵＳＢ規格に準拠したインターフェースケーブルで接続して撮影システムを構成した場合の例が示されている。
【０２２０】
図３６の例では、カメラユニット２１からのスルー画データの送信を受けてＰＣが備える表示画面上にスルー画データに基づくスルー画を表示させているときに、図４で説明した内容と同じ処理をＰＣ２０に実行させ、表示画面２００の周辺部をその周辺部を除く中央部とは異なる表示形態で表示させることにより食み出しの危険性があることを表示画面を見ているＰＣ操作者に伝えている。また表示画面２００上には、前述のデジタルカメラが背面に備える操作パネルと同様の操作パネルが表示されており、これらをマウス等で指示して操作すると、あたかもデジタルカメラの背面側にある操作パネルを操作しているかの様にカメラユニットの撮影動作を制御することができる。
【０２２１】
図３７は、ＰＣ２０とカメラユニット２１との間で行なわれる撮影に係わる通信の状態を説明する図である。
【０２２２】
図３７に示す様に、ＰＣ２０とカメラユニット２１とがインターフェースケーブルにより接続され双方の電源が投入されると、まず双方が備える通信装置の仕様などに関してのニゴシエーションが行なわれる。このニゴシエーションにより双方の通信装置が動作状態になって通信が開始され、ビデオ信号の出力がカメラユニット側で開始されＰＣ側にビデオ信号が送信されてくる。
【０２２３】
例えばマウス操作等により半押しを示す合焦開始信号ＳＴＡＴ１がＰＣ２０からカメラユニット２１送信されると、カメラユニット２１で合焦動作が開始される。カメラユニット２１が合焦動作を終えると、カメラユニット２１から終了通知ＥＮＤ１が返信されてくる。
【０２２４】
ここで、ＰＣ２０はビデオ信号を受信しているので、ＰＣ２０が備える表示画面２００上にカメラユニットが捉えている画像を表示させることができる。このときＰＣ２０は、例えば撮影対象物が撮影領域から食み出しているか否かを予め取得しているカメラユニット側の撮影領域を表わすデータ等から判定し食み出していると判定したら図３６に示す様に周辺部をその周辺部を除く中央部とは異なる表示形態でスルー画を表示させる。ＰＣ２０の操作者は、そのスルー画を見てカメラユニット２１が捉えている撮影対象物が撮影領域から食み出していることを確認したら、例えば撮影光学系を広角側に調整させるズーミング信号とともに再度合焦開始を指示する信号（ＳＴＡＴ２）をカメラユニット２１に向けて送信する。
【０２２５】
ここで、カメラユニット２１から合焦が完了したという通知を示す信号（ＥＮＤ２）がが送信されてきたら、そのときのビデオ信号に基づく画像を表示画面上に表示する。このときの表示で撮影対象物が撮影領域内に収められていたら、ＰＣ２０の操作者は、マウス等を使ってデジタルカメラの全押し操作信号に相当する取り込み信号（ＲＥＬ）をカメラユニット２１に送信する。この取り込み信号（ＲＥＬ）に応じてカメラユニット２１で撮影が行なわれて撮影画像が得られたときにはカメラユニット２１から取り込み終了信号（ＯＫ）が返信されてくる。ＰＣ２０はその取り込み終了信号（ＯＫ）を受信したら表示画面２００上に撮影が完了したことを表示する。
【０２２６】
この撮影完了通知を見たＰＣ操作者が、画像データの転送指示（ＲｅｑＤ）をカメラユニット２１へ送信してカメラユニット２１に撮影した画像データの送信を行なわせる。ＰＣ２０はその画像データ（ＤＡＴ）を受信してハードディスク内に記憶するとともに、画像データに基づく画像を表示画面上に表示する。
【０２２７】
図３６の例では、ＰＣ内部の処理によって、ＰＣ２０が備える表示画面２００上に、図４と同様の画像が表示されることにより撮影対象物が撮影領域から食み出しているということがアラーム情報として出力されるので、その表示画像を見たＰＣ操作者は、ＰＣ２０からカメラユニット２１に向けて適切な指示を行なって撮影対象物を撮影領域内に収めてから撮影を行なうことができる。
【０２２８】
図３８、図３９は、撮影システムの第２実施形態を説明する図である。
【０２２９】
第１実施形態の撮影システムでは、全ての処理がＰＣ２０で行なわれるため、ＰＣ２０の負荷が重くなる。
【０２３０】
そこで、カメラユニット２１側にある程度の処理を行なわせてその処理を受けてＰＣ側の処理を軽減することが考えられる。
【０２３１】
そこで図３９に示す第２実施形態の撮影システムでは、カメラユニット側に撮影領域から食み出しているか否かを判定させておいてその判定結果を送信させている。
【０２３２】
第２実施形態の構成にすると、例えば図３８のデジタルカメラが備える内部のＣＰＵと被写体判定回路によって撮影対象物が撮影領域から食み出しているか否かが判定され判定結果がＰＣに送信されてくるのでＰＣ２０はその判定結果を受けて表示用の画像を簡単に作成することができる。
【０２３３】
さらにＰＣ側の負担を軽減する策として、カメラユニット側で表示用の画像を作成させる手もある。そうすると、ＰＣ２０は、表示用の画像データを受けて表示する処理を行なうだけで良くなる。
【０２３４】
図４０がＰＣ側の負荷を一段と軽減した場合の処理内容を説明する図である。
【０２３５】
図４０に示す様にカメラユニット側で表示用の画像データを作成させ送信させる構成にすると、ＰＣ側の負担は一段と軽くなる。
【０２３６】
最後にいままで説明したきた構成のうちの食み出し検出手段を設けずに、上記表示画面内の周縁部をその周縁部を除く中央部とは異ならせた態様で上記画像データに基づく画像を表示させ続けて撮影者に注意を促す構成も本発明に含まれるとしてその構成を説明しておく。
【０２３７】
図４１は、本発明の撮影装置の第１５実施形態を説明する図であって、第１５実施形態のデジタルカメラが備える表示画面上の画像を示す図である。
【０２３８】
第１５実施形態のデジタルカメラも、図１、図２に示す第１実施形態のデジタルカメラと同様の外観を持ち、図３に示す内部構成と同様の構成を持つ。
【０２３９】
この実施形態では、ＣＰＵ１３０（図３参照）が電源スイッチが投入されたことを受けて表示制御回路１３４に指示して表示画面１１７Ａの周縁部をその周縁部を除く中央部とは異ならせた表示態様てスルー画データに基づくスルー画を表示させることにより撮影領域から撮影対象物の一部が食み出す可能性があることを常に撮影者に通知している。ここでは、ＣＰＵ１３０が表示制御手段１３４に指示して中央部よりも周辺部のコントラストを強めた画像を表示させるとともに、周縁部に画像データに基づいて画像に重ねた半透明の枠体を表示させている。
【０２４０】
この表示により常に通知が行なわれ続けると、撮影者は、表示画面１１７Ａ上のコントラストの違いおよび枠体を視認したときに撮影対象物の一部が撮影領域から食み出す可能性があることに気付いて立ち位置を変更するなり、ズームスイッチ１２３（図２参照）をワイド側に操作するなりして撮影対象物を撮影領域内に収めてから確実に撮影を行なうことができる。
【図面の簡単な説明】
【０２４１】
【図１】本発明の撮影装置の第１実施形態であるデジタルカメラを斜め上前方から見た外観斜視図である。
【図２】図１に示すデジタルカメラの背面を示す外観図である。
【図３】図１、図２に示したデジタルカメラ１００の回路構成を示すブロック図である。
【図４】本発明にいうアラーム手段の一例を構成するＣＰＵ１３０が、本発明にいう表示手段の一例を構成する表示制御回路１３４と表示装置１１７とに指示してアラーム情報を表示画面上に出力させたときの表示画面の状態を説明する図である。
【図５】ＣＰＵ１３０の制御の下に表示制御回路１３４内部で行なわれる処理の内容を説明する図である。
【図６】本発明の撮影装置の第２実施形態を示す図である。
【図７】本発明の撮影装置の第２実施形態を示す図である。
【図８】本発明の撮影装置の第２実施形態を示す図である。
【図９】本発明の撮影装置の第３実施形態を説明する図である。
【図１０】本発明の撮影装置の第３実施形態を説明する図である。
【図１１】本発明の撮影装置の第４実施形態を示す図である。
【図１２】本発明の撮影装置の第４実施形態を示す図である。
【図１３】本発明の撮影装置の第５実施形態を説明する図である。
【図１４】本発明の撮影装置の第５実施形態を説明する図である。
【図１５】本発明の撮影装置の第６実施形態を説明する図である。
【図１６】本発明の撮影装置の第６実施形態を説明する図である。
【図１７】本発明の撮影装置の第６実施形態を説明する図である。
【図１８】本発明の撮影装置の第７実施形態を示す図である。
【図１９】本発明の撮影装置の第７実施形態を示す図である。
【図２０】本発明の撮影装置の第８実施形態を示す図である。
【図２１】本発明の撮影装置の第８実施形態を示す図である。
【図２２】本発明の撮影装置の第８実施形態を示す図である。
【図２３】本発明の撮影装置の第９実施形態を説明する図である。
【図２４】本発明の撮影装置の第９実施形態を説明する図である。
【図２５】本発明の撮影装置の第９実施形態を説明する図である。
【図２６】本発明の撮影装置の第１０実施形態を説明する図である。
【図２７】本発明の撮影装置の第１０実施形態を説明する図である。
【図２８】本発明の撮影装置の第１１実施形態を説明する図である。
【図２９】本発明の撮影装置の第１１実施形態を説明する図である。
【図３０】本発明の撮影装置の第１２実施形態を説明する図である。
【図３１】本発明の撮影装置の第１２実施形態を説明する図である。
【図３２】本発明の撮影装置の第１３実施形態を説明する図である。
【図３３】本発明の撮影装置の第１３実施形態を説明する図である。
【図３４】本発明の撮影装置の第１４実施形態を説明する図である。
【図３５】本発明の撮影装置の第１４実施形態を説明する図である。
【図３６】本発明の撮影システムの第１実施形態を説明する図である。
【図３７】ＰＣ２０とカメラユニット２１との間で行なわれる撮影に係わる通信の状態を説明する図である。
【図３８】撮影システムの第２実施形態を説明する図である。
【図３９】撮影システムの第２実施形態を説明する図である。
【図４０】撮影システムの第３実施形態を説明する図である。
【図４１】本発明の撮影装置の第１５実施形態を説明する図である。
【符号の説明】
【０２４２】
１００    デジタルカメラ
１１１０    撮影光学系
１１１１  撮影レンズ
１１１２    絞り
１１１    ズーム鏡胴
１１２    フラッシュ発光窓
１１３    ＡＦ補助光ランプ
１１４    電源スイッチ
１１５    レリーズボタン
１１６    モードダイヤル
１１７    ＬＣＤ
１１７Ａ    ＬＣＤパネル
１１８    ＭＥＮＵ／ＯＫボタン
１１９    ＤＩＳＰ／ＢＡＣＫボタン
１２０    フォトモードボタン
１２１    再生ボタン
１２２    十字ボタン
１２３    ズームボタン
１２４    ファインダ
１３０    ＣＰＵ
１３０Ａ    ＥＥＰＲＯＭ
１３０Ｂ    アドレスバス
１３０Ｃ    データバス
１３０１    レンズ駆動部
１３０２    絞り駆動部
１３０３    撮像素子駆動部
１３０４    被写体判定回路
１３０４ａ〜１３０４ｄ    記憶部
１３０５    輪郭抽出回路
１３１    メモリ制御回路
１３２    ＳＤＲＡＭ
１３３    デジタル信号処理回路
１３４    表示制御回路
Ｍ１    乗算回路
Ｒｇ１  Ｒｇ２    レジスタ
ＴＧ１    同期タイミング生成回路
ＳＷ    スイッチ回路
１３５    積算回路
１３６    撮像素子
１３７    アナログ信号処理回路
１３８    ＡＤＣ
１３９    圧縮伸張回路
１４０    外部メディア制御回路
１４１    手ぶれ／動き検出回路
１４２    顔検出回路
１４２´    肌色検出回路
１４３    記録媒体
【図１】
2008136024.tif 000003
【図２】
2008136024.tif 000004
【図３】
2008136024.tif 000005
【図４】
2008136024.tif 000006
【図５】
2008136024.tif 000007
【図６】
2008136024.tif 000008
【図７】
2008136024.tif 000009
【図８】
2008136024.tif 000010
【図９】
2008136024.tif 000011
【図１０】
2008136024.tif 000012
【図１１】
2008136024.tif 000013
【図１２】
2008136024.tif 000014
【図１３】
2008136024.tif 000015
【図１４】
2008136024.tif 000016
【図１５】
2008136024.tif 000017
【図１６】
2008136024.tif 000018
【図１７】
2008136024.tif 000019
【図１８】
2008136024.tif 000020
【図１９】
2008136024.tif 000021
【図２０】
2008136024.tif 000022
【図２１】
2008136024.tif 000023
【図２２】
2008136024.tif 000024
【図２３】
2008136024.tif 000025
【図２４】
2008136024.tif 000026
【図２５】
2008136024.tif 000027
【図２６】
2008136024.tif 000028
【図２７】
2008136024.tif 000029
【図２８】
2008136024.tif 000030
【図２９】
2008136024.tif 000031
【図３０】
2008136024.tif 000032
【図３１】
2008136024.tif 000033
【図３２】
2008136024.tif 000034
【図３３】
2008136024.tif 000035
【図３４】
2008136024.tif 000036
【図３５】
2008136024.tif 000037
【図３６】
2008136024.tif 000038
【図３７】
2008136024.tif 000039
【図３８】
2008136024.tif 000040
【図３９】
2008136024.tif 000041
【図４０】
2008136024.tif 000042
【図４１】
2008136024.tif 000043